(57)【要約】      （修正有）【課題】異周波数／異システムにおいて、ハンドオーバ元の現セルの測定精度を維持しつつ、ハンドオーバ先の候補であるターゲットセルの測定を行う。【解決手段】端末装置において、受信部は、現在、通信接続しているハンドオーバ元の基地局装置である基地局装置から送信されるメイン測定チャネル（第１メイン測定チャネル）と、ハンドオーバ先の基地局装置の候補の基地局装置から送信されるサブ測定チャネル（第２サブ測定チャネル）を受信する。ここで、第１メイン測定チャネルは、基地局装置に割り当てられたメイン周波数帯域ｆ１を用いて送信される。また、第２サブ測定チャネルは、メイン周波数帯域ｆ１の一部の周波数帯域であるサブ周波数帯域ｆ’２が用いられて送信される。そして、受信レベル測定部は、第１メイン測定チャネル及び第２サブ測定チャネルの受信レベルを測定する。【選択図】図６
2012004721.tif 000002
【特許請求の範囲】
【請求項１】
ハンドオーバ元の基地局装置である第１の基地局装置から、前記第１の基地局装置に割り当てられた第１周波数帯域を用いて送信され、前記第１の基地局装置と自装置との間の通信状況の判断に用いられる第１メイン測定チャネルと、ハンドオーバ先の基地局装置の候補である第２の基地局装置から送信され、前記第２の基地局装置と前記自装置との間の通信状況の判断に用いられるサブ測定チャネルと、を受信する受信手段と、
前記第１メイン測定チャネル及び前記サブ測定チャネルの受信レベルを測定する測定手段と、を具備し、
前記サブ測定チャネルは、前記第１周波数帯域内の一部の周波数帯域であるサブ周波数帯域が用いられて送信される、
端末装置。
【請求項２】
前記サブ測定チャネルの受信レベルに基づいて、前記第１メイン測定チャネルが送信されないギャップ期間の有無を判定する判定手段、を更に具備し、
前記測定手段は、
前記ギャップ期間が有る場合、前記ギャップ期間では、前記第２の基地局装置から前記第２の基地局装置に割り当てられた第２周波数帯域を用いて送信される第２メイン測定チャネルを受信し、前記第２メイン測定チャネルの受信レベルを測定する、
請求項１に記載の端末装置。
【請求項３】
前記サブ周波数帯域と、前記第２周波数帯域とが対応付けられている、
請求項１に記載の端末装置。
【請求項４】
前記サブ測定チャネルは、前記サブ周波数帯域を用いて前記第２の基地局装置の複数の候補から時分割で送信される、
請求項１に記載の端末装置。
【請求項５】
前記サブ測定チャネルが送信される時間帯では、前記第１メイン測定チャネルは、前記第１周波数帯域のうち、前記サブ周波数帯域以外の周波数帯域が用いられて送信される、
請求項１に記載の端末装置。
【請求項６】
自局に割り当てられた第１周波数帯域を用いて、前記自局と通信中の端末装置との間の通信状況の判断に用いられる第１メイン測定チャネルを送信し、
他局に割り当てられた第２周波数帯域の一部の周波数帯域である第１サブ周波数帯域を用いて、前記他局と通信中の端末装置との間の通信状況の判断に用いられる第１サブ測定チャネルを送信する送信手段、
を具備する基地局装置。
【請求項７】
前記第１周波数帯域の一部の周波数帯域である第２サブ周波数帯域を用いて他局から送信される、前記他局と前記端末装置との間の通信状況の判断に用いられる第２サブ測定チャネルの受信レベルの情報を、前記端末装置から受信する受信手段と、
前記第２サブ測定チャネルの受信レベルに基づいて、前記第１メイン測定チャネルを送信しないギャップ期間を設けるか否かを決定する決定手段と、を更に具備し、
前記送信手段は、
前記ギャップ期間が設けられる場合、前記ギャップ期間では、前記第１メイン測定チャネルを送信しない、
請求項６に記載の基地局装置。
【請求項８】
前記第１サブ周波数帯域と、前記第１周波数帯域とが対応付けられている、
請求項６に記載の基地局装置。
【請求項９】
前記送信手段は、
前記第１サブ周波数帯域を他局と時分割して用いて前記第１サブ測定チャネルを送信する、
請求項６に記載の基地局装置。
【請求項１０】
前記送信手段は、
前記他局から、前記第１周波数帯域の一部の周波数帯域である第２サブ周波数帯域を用いて前記他局と前記端末装置との間の通信状況の判断に用いられる第２サブ測定チャネルが送信される時間帯では、前記第１メイン測定チャネルを、前記第１周波数帯域のうち、前記第２サブ周波数帯域以外の周波数帯域を用いて送信する、
請求項６に記載の基地局装置。
【請求項１１】
請求項６に記載の複数の基地局装置と、
請求項１に記載の端末装置と、
を具備する移動体通信システム。
【請求項１２】
端末装置が通信接続するハンドオーバ先の基地局装置を、第１の周波数帯域が割り当てられるハンドオーバ元の基地局装置である第１の基地局装置から、第２の周波数帯域が割り当てられる第２の基地局装置に切り替えるハンドオーバ判定に用いる異周波数測定方法であって、
前記第１の基地局装置は、前記第１周波数帯域を用いて、前記第１の基地局装置と前記端末装置との間の通信状況の判断に用いられる第１メイン測定チャネルを送信するとともに、前記第２周波数帯域の一部の周波数帯域である第１サブ周波数帯域を用いて第１サブ測定チャネルを送信し、
前記第２の基地局装置は、前記第２周波数帯域を用いて第２メイン測定チャネルを送信するとともに、前記第１周波数帯域の一部の周波数帯域である第２サブ周波数帯域を用いて、前記第２の基地局装置と前記端末装置との間の通信状況の判断に用いられる第２サブ測定チャネルを送信し、
前記端末装置は、現在、通信接続している前記第１の基地局装置から送信される前記第１メイン測定チャネルと、前記第２の基地局装置から送信される前記第２サブ測定チャネルと、を受信し、前記第１メイン測定チャネル及び前記サブ測定チャネルの受信レベルを測定する、
異周波数測定方法。
【発明の詳細な説明】
【技術分野】
【０００１】
本発明は、特に移動通信端末装置の異周波数測定（Inter Frequency／Inter RAT（Radio Access Technology） Measurement）を用いる移動体通信システムにおける端末装置、基地局装置、移動体通信システム及び異周波数測定方法に関する。
【背景技術】
【０００２】
ＬＴＥ（Long Term Evolution）、ＵＭＴＳ（Universal Mobile Telecommunications System）或いはＧＳＭ（Global System for Mobile Communications）等の移動通信システムでは、サービスエリアを複数の基地局で覆う方法（セル構成）が用いられている。移動通信端末装置（以下「端末装置」と略記する）は、移動によりセルの切り替え（ハンドオーバ）が必要な場合、切り替えに先立って切り替え後のセル（すなわち、ハンドオーバ先）の候補となる周辺セル（以下「ターゲットセル」という）の測定（ターゲットセルとの通信状況の測定）を行い、その測定結果に基づいて切り替え先のセルを選択する。
【０００３】
ハンドオーバ元の現在のセル（以下、「現セル」という）で使用している周波数チャネル（以下「自周波数」という）とターゲットセルで使用される周波数チャネルとが異なる場合（以下「異周波数（Inter Frequency）」という）、或いは、現在のセルで使用している無線アクセス方式とターゲットセルで使用される無線アクセス方式とが異なる場合（以下「異システム（Inter RAT（Radio Access Technology））」という）の場合、端末装置は、周波数チャネルを切り替えて測定を行う必要がある。
【０００４】
このようなターゲットセルに対する異周波数測定或いは異システム測定（以下「異周波数／異システム測定」と略記する）を現在のセルとの通信中に行うために、コンプレストモード（compressed mode）或いはギャップ（ＧＡＰ）測定と呼ばれる技術が用いられている（例えば、非特許文献１，２，３，４参照）。
【０００５】
以下に、従来の端末装置及び移動通信システムにおける端末装置での異周波数測定の動作について図面を用いて説明する。図１は、従来の移動通信システムにおける基地局装置及び端末装置の要部構成を示すブロック図である。
【０００６】
基地局装置１０において、自局測定チャネル生成部１４は、自局内向けの測定チャネルを生成する。送信部１３は、自局内向けの測定チャネル、及び、送信データをアンテナ１１を介して端末装置２０に対して送信する。受信部１２は、アンテナ１１で受信した信号を受信し、受信データを得る。
【０００７】
端末装置２０において、受信部２２は、アンテナ２１で受信した信号を受信し、受信データを得る。また、受信レベル測定部２４は、基地局装置１０から送信された測定チャネルの受信レベルを測定する。送信部２３は、受信レベル測定部２４において測定された測定チャネルの受信レベル測定結果を、送信データと共にアンテナ２１から基地局装置１０側に送信する。受信レベル測定結果は、基地局装置を束ねて制御する移動通信制御局（図示せず）に集約され、ハンドオーバの判断材料に用いられる。
【０００８】
図２は、端末装置２０における異周波数／異システム測定の動作を説明するための図である。
【０００９】
端末装置２０には、基地局装置１０から異周波数／異システム測定を行う位置及び期間（以下、ギャップ期間）が指定される。そして、端末装置２０は、指定されたギャップ期間に従って、異周波数／異システム測定を行う。具体的には、端末装置２０は、基地局装置１０から指定されたギャップ期間に従って、受信レベル測定部２４を切り替え・制御し、自周波数測定と、異周波数／異システム測定とを実施する。
【００１０】
例えば、図２に示すように、端末装置２０は、ギャップ期間以外では、ハンドオーバ元の現セルでの通信・測定を行い、ギャップ期間では、周波数をハンドオーバ先の候補のターゲットセルの周波数に切り替えて、異周波数／異システム測定する。
【先行技術文献】
【非特許文献】
【００１１】
【非特許文献１】3GPP TS 25.212 V9.2.0 (2010-03)
【非特許文献２】3GPP TS 25.215 V9.2.0 (2010-03)
【非特許文献３】3GPP TS 36.133 V9.3.0 (2010-03)
【非特許文献４】3GPP TS 36.300 V9.3.0 (2010-03)
【発明の概要】
【発明が解決しようとする課題】
【００１２】
しかしながら、従来の端末装置及び移動通信システムでは、ギャップ期間を多くすると、ターゲットセルの測定時間が増加する一方、現セルでの通信・測定時間が減少し、現セルの測定精度が劣化する。一方、ギャップ期間を少なくすると、現セルの通信・測定時間が増加し、現セルの測定精度の劣化を抑えることができるものの、ターゲットセルの測定時間が減少し、ターゲットセルの測定精度が劣化する。このように、現セルの測定精度とターゲットセルの測定精度とはトレードオフの関係があるという課題がある。
【００１３】
本発明はかかる点に鑑みてなされたものであり、異周波数／異システムにおいて、ハンドオーバ元の現セルの測定精度を維持しつつ、ハンドオーバ先の候補であるターゲットセルの測定を行うことができる端末装置、基地局装置、移動体通信システム及び異周波数測定方法を提供することを目的とする。
【課題を解決するための手段】
【００１４】
本発明の端末装置の一つの態様は、ハンドオーバ元の基地局装置である第１の基地局装置から、前記第１の基地局装置に割り当てられた第１周波数帯域を用いて送信され、前記第１の基地局装置と自装置との間の通信状況の判断に用いられる第１メイン測定チャネルと、ハンドオーバ先の基地局装置の候補である第２の基地局装置から送信され、前記第２の基地局装置と前記自装置との間の通信状況の判断に用いられるサブ測定チャネルと、を受信する受信手段と、前記第１メイン測定チャネル及び前記サブ測定チャネルの受信レベルを測定する測定手段と、を具備し、前記サブ測定チャネルは、前記第１周波数帯域内の一部の周波数帯域であるサブ周波数帯域が用いられて送信される。
【００１５】
本発明の基地局装置の一つの態様は、自局に割り当てられた第１周波数帯域を用いて、前記自局と通信中の端末装置との間の通信状況の判断に用いられる第１メイン測定チャネルを送信し、他局に割り当てられた第２周波数帯域の一部の周波数帯域である第１サブ周波数帯域を用いて、前記他局と通信中の端末装置との間の通信状況の判断に用いられる第１サブ測定チャネルを送信する送信手段を具備する。
【００１６】
これらの構成によれば、端末装置は、ハンドオーバ元である現セルの周波数帯域を用いて、ハンドオーバ先の候補であるターゲットセルの測定を行うことできるので、現セルの測定精度を維持しつつ、ターゲットセルの測定を行うことができる。
【００１７】
本発明の異周波数測定方法の一つの態様は、端末装置が通信接続するハンドオーバ先の基地局装置を、第１の周波数帯域が割り当てられるハンドオーバ元の基地局装置である第１の基地局装置から、第２の周波数帯域が割り当てられる第２の基地局装置に切り替えるハンドオーバ判定に用いる異周波数測定方法であって、前記第１の基地局装置は、前記第１周波数帯域を用いて、前記第１の基地局装置と前記端末装置との間の通信状況の判断に用いられる第１メイン測定チャネルを送信するとともに、前記第２周波数帯域の一部の周波数帯域である第１サブ周波数帯域を用いて第１サブ測定チャネルを送信し、前記第２の基地局装置は、前記第２周波数帯域を用いて第２メイン測定チャネルを送信するとともに、前記第１周波数帯域の一部の周波数帯域である第２サブ周波数帯域を用いて、前記第２の基地局装置と前記端末装置との間の通信状況の判断に用いられる第２サブ測定チャネルを送信し、前記端末装置は、現在、通信接続している前記第１の基地局装置から送信される前記第１メイン測定チャネルと、前記第２の基地局装置から送信される前記第２サブ測定チャネルと、を受信し、前記第１メイン測定チャネル及び前記サブ測定チャネルの受信レベルを測定する。
【００１８】
この方法によれば、端末装置は、ハンドオーバ元の現セルの周波数帯域を用いて、ハンドオーバ先の候補のターゲットセルの測定を行うことできるので、現セルの測定精度を維持しつつ、ターゲットセルの測定を行うことができる。
【発明の効果】
【００１９】
本発明によれば、異周波数／異システムにおいて、ハンドオーバ元の現セルの測定精度を維持しつつ、ハンドオーバ先の候補のターゲットセルの測定を行うことができる。
【図面の簡単な説明】
【００２０】
【図１】従来の基地局装置及び端末装置の要部構成を示すブロック図
【図２】従来の異周波数／異システム測定の動作を説明するための図
【図３】本発明の実施の形態１に係る移動体通信システムの構成例を示す図
【図４】実施の形態１に係る基地局装置の要部構成を示すブロック図
【図５】実施の形態１に係る端末装置の要部構成を示すブロック図
【図６】端末装置において受信された自セルの基地局装置及び他セルの基地局装置から送信されるメイン測定チャネル及びサブ測定チャネルの受信レベルの様子を示す図
【図７】ハンドオーバ元の現セルから送信されるメイン測定チャネル、及び、ハンドオーバ先の候補のターゲットセルから送信されるサブ測定チャネルを示す図
【図８】本発明の実施の形態２に係る基地局装置の要部構成を示すブロック図
【図９】実施の形態２に係る端末装置の要部構成を示すブロック図
【図１０】端末装置において受信された自セルの基地局装置及び他セルの基地局装置から送信されるメイン測定チャネル及びサブ測定チャネルの受信レベルの様子を示す図
【図１１】本発明の実施の形態３に係る移動体通信システムの構成例を示す図
【図１２】実施の形態３における、ハンドオーバ元の現セルのメイン測定チャネル（第１メイン測定チャネル）と、ハンドオーバ先の候補のターゲットセル＃２のメイン測定チャネル（第２メイン測定チャネル）及びサブ測定チャネルと、ハンドオーバ先の候補のターゲットセル＃３のメイン測定チャネル（第３メイン測定チャネル）及びサブ測定チャネルを示す図
【図１３】本発明の実施の形態４における、ハンドオーバ元の現セルのメイン測定チャネル（第１メイン測定チャネル）と、ハンドオーバ先の候補のターゲットセル＃２のメイン測定チャネル（第２メイン測定チャネル）及びサブ測定チャネルと、ハンドオーバ先の候補のターゲットセル＃３のメイン測定チャネル（第３メイン測定チャネル）及びサブ測定チャネルを示す図
【図１４】本発明の実施の形態５における、ハンドオーバ元の現セルのメイン測定チャネル（第１メイン測定チャネル）と、ハンドオーバ先の候補のターゲットセルのサブ測定チャネルを示す図
【発明を実施するための形態】
【００２１】
以下、本発明の実施の形態について、図面を参照して詳細に説明する。
【００２２】
（実施の形態１）
図３は、本実施の形態に係る移動体通信システムの構成例を示す。図３に示すように、移動体通信システムは、基地局装置１００、基地局装置１００Ａ及び端末装置２００を有する。図３において、基地局装置１００は、端末装置２００が通信接続しているハンドオーバ元の現セルの基地局装置である。また、図３において、基地局装置１００Ａは、端末装置２００が通信している現セルに近接するセルの基地局装置である。すなわち、基地局装置１００Ａは、端末装置２００が通信する可能性があるハンドオーバ先の候補のターゲットセルの基地局装置であり、例えば、現セルの隣接セルの基地局装置である。
【００２３】
以下では、端末装置２００のハンドオーバ元の現セルの基地局装置１００に割り当てられた周波数帯域（以下「メイン周波数帯域」という）がｆ１であり、ハンドオーバ先の候補のターゲットセルの基地局装置１００Ａに割り当てられた周波数帯域（メイン周波数帯域）がｆ２である場合を例に説明する。
【００２４】
図４は、本実施の形態に係る基地局装置の要部構成を示すブロック図である。基地局装置１００及び基地局装置１００Ａの構成は同じである。そこで、以下では、基地局装置１００の構成について説明する。
【００２５】
図４に示す基地局装置１００は、自セル測定チャネル生成部１２０、サブ測定チャネル生成部１３０、送信部１４０、及び、受信部１５０を有する。
【００２６】
自セル測定チャネル生成部１２０は、メイン測定チャネルを生成し、生成したメイン測定チャネルを送信部１４０に出力する。ここで、メイン測定チャネルとは、自局と通信接続している端末装置が、自セルにおける通信状況を判断するために用いる測定チャネルである。メイン測定チャネルは、後述するように、自局に割り当てられたメイン周波数帯域を用いて送信される。メイン測定チャネルについては、後述する。
【００２７】
サブ測定チャネル生成部１３０は、サブ測定チャネルを生成し、生成したサブ測定チャネルを送信部１４０に出力する。ここで、サブ測定チャネルとは、現在、自局以外の他局と通信接続している端末装置が、自セルにおける通信状況を判断するために用いる測定チャネルである。サブ測定チャネルは、後述するように、自局以外の他局に割り当てられたメイン周波数帯域の一部の周波数帯域（以下「サブ周波数帯域」ともいう）を用いて送信される。サブ測定チャネルについては、後述する。
【００２８】
送信部１４０は、メイン測定チャネルを自局（基地局装置１００）に割り当てられたメイン周波数帯域を用いて送信する。また、送信部１４０は、サブ測定チャネルを、自セルに近隣するターゲットセルの他局（基地局装置１００Ａ）に割り当てられたメイン周波数帯域の一部の周波数帯域（サブ周波数帯域）を用いて送信する。なお、サブ周波数帯域は、例えば、ターゲットセルにおけるメイン周波数帯域の始端周波数から所定の周波数だけ離れた位置に予め特定される。更に、送信部１４０は、送信データ及びハンドオーバ制御に関する情報（ハンドオーバ制御情報）をアンテナ１１０を介して送信する。ハンドオーバ制御情報については、後述する。
【００２９】
受信部１５０は、アンテナ１１０を介して受信した信号を受信し、受信データを得る。
【００３０】
図５は、本実施の形態に係る端末装置の要部構成を示すブロック図である。
【００３１】
図５に示す端末装置２００は、受信部２２０、受信レベル測定部２３０、及び、送信部２４０を有する。
【００３２】
受信部２２０は、アンテナ２１０を介して受信した信号を受信し、受信データを得る。そして、受信部２２０は、受信データからハンドオーバ制御に関する情報（ハンドオーバ制御情報）を抽出し、抽出したハンドオーバ制御情報に基づいて、現セルの基地局装置１００に割り当てられたメイン周波数帯域ｆ１を特定する。更に、受信部２２０は、現セルに近接するターゲットセルの基地局装置１００Ａがサブ測定チャネルを送信するのに用いるサブ周波数帯ｆ’２を特定する。
【００３３】
受信レベル測定部２３０は、基地局装置１００から送信されたメイン測定チャネルの受信レベルと、基地局装置１００Ａから送信されたサブ測定チャネルの受信レベルを測定する。受信レベル測定部２３０は、メイン測定チャネル及びサブ測定チャネルの受信レベル測定結果を送信部２４０に出力する。
【００３４】
送信部２４０は、送信データ、メイン測定チャネル及びサブ測定チャネルの受信レベル測定結果を、アンテナ２１０を介して基地局装置１００に送信する。受信レベル測定結果は、基地局装置１００，１００Ａを束ねて制御する移動通信制御局（図示せぬ）に集約され、ハンドオーバの判断材料に用いられる。
【００３５】
以上のように構成された基地局装置１００、基地局装置１００Ａ及び端末装置２００の動作について説明する。
【００３６】
基地局装置１００の送信部１４０は、自セル測定チャネル生成部１２０において生成されたメイン測定チャネルを、メイン周波数帯域ｆ１を用いて端末装置２００に送信する。また、基地局装置１００Ａの送信部１４０は、サブ測定チャネル生成部１３０において生成されたサブ測定チャネルを、サブ周波数帯域ｆ’２を用いて端末装置２００に送信する。ここで、サブ周波数帯域ｆ’２は、現セルのメイン周波数帯域ｆ１の一部の周波数帯域（特定の狭帯域）である。
【００３７】
なお、基地局装置１００は、サブ周波数帯域ｆ’１を用いてサブ測定チャネルを送信している。ここで、サブ周波数帯域ｆ’１は、ターゲットセルの基地局装置１００Ａに割り当てられたメイン周波数帯域ｆ２の一部の周波数帯域である。また、基地局装置１００Ａは、メイン周波数帯域ｆ２を用いてメイン測定チャネルを送信している。
【００３８】
図６は、端末装置２００において受信された基地局装置１００及び基地局装置１００Ａから送信されるメイン測定チャネル及びサブ測定チャネルの受信レベルの様子を示す図である。図６において、横軸は周波数、縦軸は受信レベルである。なお、以降の説明を簡潔にするため、図６において、サブ周波数帯域ｆ’１を用いて基地局装置１００から送信されるサブ測定チャネルについては、省略している。
【００３９】
端末装置２００は、基地局装置１００から通知されるハンドオーバ情報に基づいて、メイン測定チャネルの送信に用いられるメイン周波数帯域ｆ１を特定するとともに、サブ測定チャネルの送信に用いられるサブ周波数帯域ｆ’２を特定する。そして、端末装置２００の受信部２２０は、現セルの基地局装置１００からメイン周波数帯域ｆ１を用いて送信されるメイン測定チャネル、及び、ターゲットセルの基地局装置１００Ａからサブ周波数帯域ｆ’２を用いて送信されるサブ測定チャネルを受信する。
【００４０】
上述したように、サブ測定チャネルが送信されるサブ周波数帯域ｆ’２は、現セルのメイン周波数帯域ｆ１の帯域内にあるため、端末装置２００は、周波数の切り替え動作をせずに、ターゲットセルの測定を行うことができる。このように、端末装置２００は、現セルの測定を継続しながら、ターゲットセルの測定を平行して行うことができる。そのため、基地局装置１００は、図７に示すように、ギャップ期間を設けず、メイン測定チャネルを連続して送信することができる。
【００４１】
このように、本実施の形態では、端末装置２００の現セルの基地局装置１００は、自局に割り当てられたメイン周波数帯域ｆ１を用いてメイン測定チャネルを連続的に送信する。また、ターゲットセルの基地局装置１００Ａは、端末装置２００の現セルの基地局装置１００に割り当てられたメイン周波数帯域ｆ１のうちの一部の周波数帯域であるサブ周波数帯域ｆ’２を用いて、サブ測定チャネルを連続的に送信する。これにより、現セルの通信・測定時間の減少を抑圧することができるため、現セル測定精度が向上し、この結果、ハンドオーバ動作が適切・迅速に実施され、通信品質の向上を図ることができる。
【００４２】
端末装置２００において、送信部２４０は、受信レベル測定部２３０により測定されたメイン測定チャネル及びサブ測定チャネルの受信レベルの情報を基地局装置１００に送信し、基地局装置１００は、メイン測定チャネル及びサブ測定チャネルの受信レベルの情報を移動通信制御局に通知する。そして、移動通信制御局では、メイン測定チャネル及びサブ測定チャネルの受信レベルに基づいて、ハンドオーバ制御が行われ、ハンドオーバに関する情報（ハンドオーバ情報）が基地局装置１００に通知される。
【００４３】
以上のように、本実施の形態では、端末装置２００において、受信部２２０は、現在、通信接続しているハンドオーバ元の基地局装置である基地局装置１００から送信されるメイン測定チャネル（第１メイン測定チャネル）と、ハンドオーバ先の基地局装置の候補の基地局装置１００Ａから送信されるサブ測定チャネル（第２サブ測定チャネル）を受信する。ここで、第１メイン測定チャネルは、基地局装置１００に割り当てられたメイン周波数帯域ｆ１を用いて送信される。また、第２サブ測定チャネルは、メイン周波数帯域ｆ１の一部の周波数帯域であるサブ周波数帯域ｆ’２が用いられて送信される。そして、受信レベル測定部２３０は、第１メイン測定チャネル及び第２サブ測定チャネルの受信レベルを測定する。
【００４４】
また、基地局装置１００において、送信部１４０は、自局に割り当てられるメイン周波数帯域ｆ１を用いてメイン測定チャネル（第１メイン測定チャネル）を送信するとともに、他セルの基地局装置１００Ａに割り当てられるメイン周波数帯域ｆ２内の一部の周波数帯域であるサブ周波数帯域ｆ’１を用いてサブ測定チャネル（第１サブ測定チャネル）を送信する。また、基地局装置１００Ａにおいて、送信部１４０は、自局に割り当てられるメイン周波数帯域ｆ２を用いてメイン測定チャネル（第２メイン測定チャネル）を送信するとともに、他セルの基地局装置１００に割り当てられる周波数帯域ｆ１内の一部の周波数帯域であるサブ周波数帯域ｆ’２を用いてサブ測定チャネル（第２サブ測定チャネル）を送信する。
【００４５】
これにより、端末装置２００は、現セルの基地局装置１００からメイン周波数帯域ｆ１を用いて送信されるメイン測定チャネル（第１メイン測定チャネル）の測定を継続しながら、ターゲットセルの基地局装置１００Ａからサブ周波数帯域ｆ’２（周波数帯域ｆ１の一部の帯域）を用いて送信されるサブ測定チャネル（第２サブ測定チャネル）の測定を平行して行うことができる。
【００４６】
この結果、図７に示すように、ギャップ期間を設けず、メイン測定チャネル（第１メイン測定チャネル）を連続して送信することができるので、現セルの通信・測定時間の減少を抑圧することができ、測定精度が向上し、ハンドオーバ動作が適切・迅速に実施され、通信品質の向上を図ることができる。
【００４７】
（実施の形態２）
実施の形態１では、ギャップ期間を設けず、ハンドオーバ元の現セルの基地局装置がメイン測定チャネル（第１メイン測定チャネル）を連続して送信する連続モードを用いる場合について説明した。本実施の形態では、ハンドオーバ元の現セルの基地局装置が、サブ測定チャネルの受信レベルと所定の閾値との閾値判定結果に基づいて、ギャップ期間を設ける頻度を制御する場合について説明する。
【００４８】
本実施の形態に係る移動体通信システムの構成例は、実施の形態１と同様であるため図示及び説明を省略する。なお、本実施の形態に係る移動体通信システムは、基地局装置３００、基地局装置３００Ａ及び端末装置４００を有する。基地局装置３００は、端末装置４００が通信しているハンドオーバ元の現セルの基地局装置であり、基地局装置３００Ａは、端末装置４００が通信している現セルに近接するセルの基地局装置である。すなわち、基地局装置３００Ａは、端末装置４００が通信する可能性があるハンドオーバ先の候補のターゲットセルの基地局装置であり、例えば、現セルの隣接セルの基地局装置である。
【００４９】
以下では、端末装置４００のハンドオーバ元の現セルの基地局装置３００に割り当てられた周波数帯域（メイン周波数帯域）がｆ１であり、ハンドオーバ先の候補のターゲットセルの基地局装置３００Ａに割り当てられた周波数帯域（メイン周波数帯域）がｆ２である場合を例に説明する。
【００５０】
図８は、本実施の形態に係る基地局装置の要部構成を示すブロック図である。基地局装置３００及び基地局装置３００Ａの構成は同じである。そこで、以下では、基地局装置３００の構成について説明する。
【００５１】
なお、図８の基地局装置３００において、図４の基地局装置１００と共通する構成部分には、図４と同一の符号を付して説明を省略する。図８の基地局装置３００は、図４の基地局装置１００に対して、送信部１４０に代えて、送信部３２０を有し、モード決定部３１０を追加した構成を採る。
【００５２】
モード決定部３１０は、端末装置４００から通知されるサブ測定チャネルの受信レベルに基づいて、ギャップ期間の有無を制御する。具体的には、モード決定部３１０は、端末装置４００から通知されるサブ測定チャネルの受信レベルに基づいて、連続モードを続行するか、連続モードからギャップに切り替えるか決定する。ここで、連続モードとは、ギャップ期間を設けずメイン測定チャネルを連続して送信するモードであり、ギャップモードとは、ギャップ期間を設け、ギャップ期間ではメイン測定チャネルを送信しないモードである。
【００５３】
なお、一旦ギャップモードに切り替えた後、更に、モード決定部３１０は、端末装置４００から通知されるサブ測定チャネルの受信レベルに基づいて、ギャップモードから連続モードに切り替えるか決定してもよい。このようにして、モード決定部３１０は、端末装置４００から通知されるサブ測定チャネルの受信レベルに基づいて、ギャップ期間を設ける頻度を制御する。モード決定部３１０は、決定した送信モードに関する情報（以下「モード情報」という）を送信部３２０に出力する。
【００５４】
送信部３２０は、モード情報に応じて、メイン測定チャネルを送信する。具体的には、モード情報が連続モードを示す場合、送信部３２０は、ギャップ期間を設けずメイン測定チャネルを連続して送信する。これに対し、モード情報がギャップモードを示す場合、送信部３２０は、ギャップ期間を設け、ギャップ期間ではメイン測定チャネルを送信せず、ギャップ期間以外でのみメイン測定チャネルを送信する。
【００５５】
図９は、本実施の形態に係る端末装置の要部構成を示すブロック図である。なお、図９の端末装置４００において、図５の端末装置２００と共通する構成部分には、図５と同一の符号を付して説明を省略する。図９の端末装置４００は、図３の端末装置４００に対して、受信部２２０及び受信レベル測定部２３０に代えて、受信部４１０及び受信レベル測定部４２０を有し、モード判定部４３０を追加した構成を採る。
【００５６】
受信部４１０は、アンテナ２１０を介して受信した信号を受信し、受信データを得る。そして、受信部４１０は、受信データからハンドオーバ制御に関する情報（ハンドオーバ制御情報）を抽出し、抽出したハンドオーバ制御情報に基づいて、現セルの基地局装置３００に割り当てられたメイン周波数帯域ｆ１を特定する。更に、受信部４１０は、現セルの周辺のセルであるターゲットセルの基地局装置３００Ａがサブ測定チャネルを送信するのに用いるサブ周波数帯ｆ’２を特定する。
【００５７】
更に、受信部４１０は、後述のモード判定部４３０から通知されるモード情報に応じて、受信周波数を切り替える。具体的には、モード情報が連続モードを示す場合、受信部４１０は、受信周波数をメイン周波数帯域ｆ１にあわせて現セルの基地局装置３００から送信されるメイン測定チャネル（第１メイン測定チャネル）を連続して受信する。これに対し、モード情報がギャップモードを示す場合、受信部４１０は、ギャップ期間以外では、受信周波数をメイン周波数帯域ｆ１にあわせて現セルの基地局装置３００から送信されるメイン測定チャネル（第１メイン測定チャネル）を連続して受信し、ギャップ期間では、受信周波数をメイン周波数帯域ｆ２にあわせてターゲットセルの基地局装置３００Ａから送信されるメイン測定チャネル（第２メイン測定チャネル）を受信する。
【００５８】
受信レベル測定部４２０は、後述のモード判定部４３０から通知されるモード情報に応じて、以降、次のようにして受信レベルを測定する。
【００５９】
[モード情報が連続モードを示す場合]
モード情報が連続モードを示す場合には、実施の形態１の受信レベル測定部２３０と同様に、受信レベル測定部４２０は、基地局装置３００から送信されたメイン測定チャネル（第１メイン測定チャネル）の受信レベルと、基地局装置３００Ａから送信されたサブ測定チャネル（第２サブ測定チャネル）の受信レベルを測定する。
【００６０】
[モード情報がギャップモードを示す場合]
ギャップモードでは、ギャップ期間以外では、基地局装置３００からは、メイン周波数帯域ｆ１が用いられてメイン測定チャネル（第１メイン測定チャネル）が送信され、基地局装置３００Ａからは、サブ周波数帯域ｆ’２が用いられてサブ測定チャネルが送信される。また、ギャップ期間では、基地局装置３００Ａからは、メイン周波数帯域ｆ２が用いられてメイン測定チャネル（第２メイン測定チャネル）が送信される。
【００６１】
そこで、モード情報がギャップモードを示す場合には、受信レベル測定部４２０は、ギャップ期間以外とギャップ期間とで、測定対象の周波数帯域を切り替える。
【００６２】
具体的には、受信レベル測定部４２０は、ギャップ期間以外では、基地局装置３００から送信されたメイン測定チャネル（第１メイン測定チャネル）の受信レベルと、基地局装置３００Ａから送信されたサブ測定チャネル（第２メイン測定チャネル）の受信レベルを測定する。一方、ギャップ期間では、受信レベル測定部４２０は、基地局装置３００Ａから送信されたメイン測定チャネル（第２メイン測定チャネル）の受信レベルを測定する。
【００６３】
すなわち、受信部４１０は、ギャップ期間の前後で受信周波数を切り替える。そして、ギャップ期間以外では、受信部４１０は、現セルのメイン周波数帯域ｆ１で送信されるメイン測定チャネル（第１メイン測定チャネル）を受信し、ギャップ期間では、ターゲットセルのメイン周波数帯域ｆ２で送信される第２メイン測定チャネルを受信する。
【００６４】
そして、受信レベル測定部４２０は、ギャップ期間に応じて、測定周波数帯域を切替える。具体的には、受信レベル測定部４２０は、ギャップ期間以外では、現セルのメイン周波数帯域ｆ１で送信されたメイン測定チャネル（第１メイン測定チャネル）の受信レベル、及び、ターゲットセルのサブ周波数帯域ｆ’２で送信されたサブ測定チャネル（第２サブ測定チャネル）の受信レベルを測定する。また、受信レベル測定部４２０は、ギャップ期間では、ターゲットセルのメイン周波数帯域ｆ２で送信されたメイン測定チャネル（第２メイン測定チャネル）の受信レベルを測定する。
【００６５】
モード判定部４３０は、サブ測定チャネルの受信レベルに基づいて、基地局装置３００からメイン測定チャネル（第１メイン測定チャネル）が連続モードで送信されるか、ギャップモードで送信されるか判定する。モード判定部４３０における送信モードの判定方法については、後述する。モード判定部４３０は、判定した送信モードの情報（モード情報）を受信部４１０及び受信レベル測定部４２０に出力する。
【００６６】
以上のように構成された基地局装置３００、基地局装置３００Ａ及び端末装置４００の動作について説明する。
【００６７】
図１０は、端末装置４００が受信した、基地局装置３００から送信されるメイン測定チャネル（第１メイン測定チャネル）、基地局装置３００Ａから送信されるメイン測定チャネル（第２メイン測定チャネル）及びサブ測定チャネルの受信レベルの様子を示す図である。図１０において、横軸は時間、縦軸は受信レベルである。
【００６８】
図１０に示すように、基地局装置３００の送信部３２０は、自セル測定チャネル生成部１２０において生成されたメイン測定チャネル（第１メイン測定チャネル）を、メイン周波数帯域ｆ１を用いて端末装置４００に連続送信する。また、基地局装置３００Ａの送信部３２０は、サブ測定チャネル生成部１３０において生成されたサブ測定チャネルを、サブ周波数帯域ｆ’２を用いて端末装置４００に送信する。
【００６９】
そして、端末装置４００は、基地局装置３００から通知されるハンドオーバ情報に基づいて、現セルの周波数帯域ｆ１及びターゲットセルのサブ周波数帯域ｆ’２を特定し、基地局装置３００から送信されるメイン周波数帯域ｆ１のメイン測定チャネル（第１メイン測定チャネル）、及び、基地局装置３００Ａから送信されるサブ周波数帯域ｆ’２のサブ測定チャネルを受信する。
【００７０】
このとき、ターゲットセルの基地局装置３００Ａは、基地局装置１００Ａと同様に、現セルのメイン周波数帯域ｆ１のうち一部、すなわち、周波数帯域ｆ１の特定の狭帯域であるサブ周波数帯域ｆ’２を用いて、サブ測定チャネルを送信する。このように、サブ測定チャネルが送信されるサブ周波数帯域ｆ’２は、現セルのメイン周波数帯域ｆ１内の周波数帯域であるため、端末装置４００は、周波数の切り替え動作をせずに、ターゲットセルの測定を行うことができる。
【００７１】
端末装置４００において、送信部２４０は、メイン測定チャネル（第１メイン測定チャネル）及びサブ測定チャネルの受信レベルを基地局装置３００に送信する。
【００７２】
そして、基地局装置３００において、モード決定部３１０は、端末装置４００から通知されるサブ測定チャネルの受信レベルに基づいて、メイン測定チャネル（第１メイン測定チャネル）を連続送信するか（連続モード）、メイン測定チャネル（第１メイン測定チャネル）を送信しないギャップ期間を設けるか（ギャップモード）を決定する。
【００７３】
また、端末装置４００において、モード判定部４３０は、サブ測定チャネルの受信レベルに基づいて、メイン測定チャネル（第１メイン測定チャネル）が連続モードで送信される、メイン測定チャネル（第１メイン測定チャネル）をギャップモードで送信されるか判定する。
【００７４】
以下、モード決定部３１０におけるモード決定方法及びモード判定部４３０におけるモード判定方法について説明する。モード決定部３１０におけるモード決定方法は、モード判定部４３０におけるモード判定方法と同様のため、以下では、モード決定部３１０の決定方法について説明する。
【００７５】
モード決定部３１０は、サブ測定チャネルの受信レベルを所定の閾値と閾値判定する。そして、モード決定部３１０は、サブ測定チャネルの受信レベルと所定の閾値との閾値判定結果に基づいて、以下のようにして、メイン測定チャネル（第１メイン測定チャネル）を連続送信するか（連続モード）、ギャップ期間を設けて送信するか（ギャップモード）決定する。
【００７６】
［１］サブ測定チャネルの受信レベルが所定の閾値未満の場合
サブ測定チャネルの受信レベルが所定の閾値未満の場合、ギャップ期間を設けてギャップ期間においてターゲットセルの測定を行っても、ターゲットセルの測定を精度良く行うことが難しい可能性が高い。そこで、サブ測定チャネルの受信レベルが所定の閾値未満の場合、モード決定部３１０は、メイン測定チャネル（第１メイン測定チャネル）を連続モードで送信すると決定する。
【００７７】
［２］サブ測定チャネルの受信レベルが所定の閾値以上の場合
サブ測定チャネルの受信レベルが所定の閾値以上の場合、ギャップ期間を設けてギャップ期間においてターゲットセルの測定を行うことにより、ターゲットセルの測定精度を向上させることができる可能性が高い。そこで、サブ測定チャネルの受信レベルが所定の閾値以上の場合、モード決定部３１０は、メイン測定チャネル（第１メイン測定チャネル）をギャップモードで送信すると決定する。
【００７８】
このようにして、モード決定部３１０は、サブ測定チャネルの受信レベルに基づいて、メイン測定チャネル（第１メイン測定チャネル）の送信モードを決定する。
【００７９】
同様に、モード判定部４３０は、サブ測定チャネルの受信レベルに基づいて、メイン測定チャネル（第１メイン測定チャネル）の送信モードを判定する。
【００８０】
そして、サブ測定チャネルの受信レベルが所定の閾値未満の場合、図７に示すように、基地局装置３００は、ギャップ期間を設けず、メイン測定チャネルを連続して送信する。一方、サブ測定チャネルの受信レベルが所定の閾値以上の場合には、図１０に示すように、基地局装置３００は、ギャップ期間を設けて、ギャップ期間ではメイン測定チャネル（第１メイン測定チャネル）を送信しないようにする。このように、モード決定部３１０は、サブ測定チャネルの受信レベルに基づいて、必要最小限だけギャップ期間を設定する。
【００８１】
このとき、ターゲットセルの基地局装置３００Ａは、現セルのメイン周波数帯域ｆ１のうち一部、すなわち、メイン周波数帯域ｆ１の特定の狭帯域であるサブ周波数帯域ｆ’２を用いてサブ測定チャネルを送信するとともに、自セルのメイン周波数帯域ｆ２を用いて、メイン測定チャネル（第２メイン測定チャネル）を送信している。
【００８２】
そこで、端末装置４００は、モード判定部４３０からのモード情報に応じて、受信部４１０の受信周波数及び受信レベル測定部４２０の測定周波数を切り替える。具体的には、受信周波数及び測定周波数が、ギャップ期間以外では周波数帯域ｆ１に設定され、ギャップ期間では周波数帯域ｆ２に設定される。
【００８３】
そして、受信レベル測定部４２０は、ギャップ期間において、ターゲットセルのメイン周波数帯域ｆ２で送信されるメイン測定チャネル（第２メイン測定チャネル）の受信レベルを測定する。また、ギャップ期間以外では、現セルのメイン測定チャネル（第１メイン測定チャネル）及びターゲットセルのサブ測定チャネルの受信レベルを測定する。
【００８４】
このようにして、サブ周波数帯域ｆ’２を用いて送信されるサブ測定チャネルの受信レベルが所定の閾値以上の場合、送信モードがギャップモードに設定され、ギャップ期間が設けられるので、端末装置４００は、ギャップ期間において、ターゲットセルのメイン周波数帯域ｆ２を用いて送信されるメイン測定チャネル（第２メイン測定チャネル）の受信レベルを測定することができるようになる。これにより、ターゲットセルの測定精度を向上させることができる。
【００８５】
受信レベル測定部４２０は、ギャップ期間以外で測定したメイン測定チャネル（第１メイン測定チャネル）及びサブ測定チャネル、又は、ギャップ期間において測定したターゲットセルのメイン測定チャネル（第２メイン測定チャネル）の受信レベルを、送信部２４０に出力する。
【００８６】
送信部２４０は、ギャップ期間以外で測定したメイン測定チャネル（第１メイン測定チャネル）及びサブ測定チャネル、或いは、ギャップ期間で測定したターゲットセルのメイン測定チャネル（第２メイン測定チャネル）の受信レベルの情報を、基地局装置３００に送信し、基地局装置３００は、これら受信レベルの情報を移動通信制御局に通知する。
【００８７】
そして、移動通信制御局では、これら受信レベルの情報に基づいて、ハンドオーバ制御が行われ、ハンドオーバに関する情報（ハンドオーバ情報）が基地局装置３００，３００Ａに通知される。
【００８８】
このとき、ターゲットセルのメイン測定チャネル（第２メイン測定チャネル）の受信レベルは、ギャップ期間により、現セルのメイン測定チャネル（第１メイン測定チャネル）が送信されない状態で測定されたレベルである。そのため、サブ測定チャネルを用いてターゲットセルの測定を行う場合に比べ、測定精度が向上される。
【００８９】
このように、サブ周波数帯域ｆ’２を用いたサブ測定チャネルの受信レベルが所定の閾値以上であり、端末装置４００にとってターゲットセルが最適であり、ハンドオーバの契機となる可能性がある場合、ギャップ期間を設け、ターゲットセルのメイン測定チャネル（第２メイン測定チャネル）の測定精度を向上させることにより、適切なハンドオーバ制御を行うことができるようになる。
【００９０】
以上のように、本実施の形態では、ハンドオーバ元の基地局装置である基地局装置３００において、モード決定部３１０は、サブ測定チャネルの受信レベルに基づいて、メイン測定チャネル（第１メイン測定チャネル）を連続モードで送信するか、ギャップモードで送信するか決定して、ギャップ期間の有無を制御する。
【００９１】
そして、端末装置４００において、モード判定部４３０は、サブ測定チャネルの受信レベルに基づいて、メイン測定チャネル（第１メイン測定チャネル）が送信されないギャップ期間の有無を判定する。そして、受信部４１０は、ギャップ期間では、ハンドオーバ先の候補のターゲットセルの基地局装置３００Ａから基地局装置３００Ａに割り当てられたメイン周波数帯域ｆ２を用いて送信されるメイン測定チャネル（第２メイン測定チャネル）を受信し、受信レベル測定部４２０は、ギャップ期間では、ターゲットセルの基地局装置３００Ａからメイン周波数帯域ｆ２を用いて送信されるメイン測定チャネル（第２メイン測定チャネル）の受信レベルを測定する。これにより、ターゲットセルの測定精度が向上するため、ハンドオーバ動作が適切・迅速に実施され、通信品質の向上を図ることができる。
【００９２】
なお、以上の説明では、基地局装置３００のモード決定部３１０及び端末装置４００のモード判定部４３０のそれぞれが、サブ測定チャネルの受信レベルに基づいて、送信モードを決定、判定する場合について説明したが、これに限られない。例えば、端末装置４００のモード判定部４３０が、判定した送信モードに関する情報を基地局装置３００に通知するようにしてもよい。或いは、基地局装置３００のモード決定部３１０が、決定した送信モードに関する情報を端末装置４００に通知するようにしてもよい。この場合には、モード決定部３１０又はモード判定部４３０のいずれか一方が不要となるが、送信モードに関するシグナリングが必要となる。そのため、スループットの観点からは、基地局装置３００のモード決定部３１０及び端末装置４００のモード判定部４３０が、サブ測定チャネルの受信レベルに基づいて、各々で送信モードを決定、判定するのが好ましい。
【００９３】
（実施の形態３）
本実施の形態では、ハンドオーバ先の候補のターゲットセルに割り当てられたメイン周波数帯域（第２周波数帯域）と、サブ測定チャネルが送信される周波数帯域とを対応付ける場合について説明する。
【００９４】
図１１は、本実施の形態に係る移動体通信システムの構成例を示す。なお、図１１の移動体通信システムにおいて、図２の移動体通信システムと共通の構成については、図２と同一の符号を付して説明を省略する。図１１に示すように、本実施の形態に係る移動体通信システムは、基地局装置１００、基地局装置１００Ａ、基地局装置１００Ｂ及び端末装置２００を有する。
【００９５】
基地局装置１００は、端末装置２００が通信しているハンドオーバ元の現セルの基地局装置であり、基地局装置１００Ａ、１００Ｂは、端末装置２００が通信している現セルに近接するセルの基地局装置である。すなわち、基地局装置１００Ａ、１００Ｂは、端末装置２００が通信する可能性があるハンドオーバ先の候補のターゲットセル＃２，＃３の基地局装置であり、例えば、現セルの隣接セルの基地局装置である。
【００９６】
なお、基地局装置１００、１００Ａ、１００Ｂ及び端末装置２００の構成は、実施の形態１又は実施の形態２と同様のため、以下では、実施の形態１の構成を援用して説明する。
【００９７】
図１２は、現セルのメイン測定チャネル（第１メイン測定チャネル）と、ターゲットセル＃２のメイン測定チャネル（第２メイン測定チャネル）及びサブ測定チャネルと、ターゲットセル＃３のメイン測定チャネル（第３メイン測定チャネル）及びサブ測定チャネルを示す図である。
【００９８】
図１２に示すように、現セルの基地局装置１００は、メイン測定チャネル（第１メイン測定チャネル）をメイン周波数帯域（第１周波数帯域）ｆ１を用いて送信する。ターゲットセル＃２の基地局装置１００Ａは、ターゲットセル＃２のメイン測定チャネル（第２メイン測定チャネル）をメイン周波数帯域（第２周波数帯域）ｆ２を用いて送信し、ターゲットセル＃２のサブ測定チャネルをサブ周波数帯域ｆ’２を用いて送信する。また、ターゲットセル＃３の基地局装置１００Ａは、ターゲットセル＃３のメイン測定チャネル（第３メイン測定チャネル）をメイン周波数帯域（第３周波数帯域）ｆ３を用いて送信し、ターゲットセル＃３のサブ測定チャネルをサブ周波数帯域ｆ’３を用いて送信する。
【００９９】
このとき、本実施の形態では、ターゲットセル＃ｉ（ｉ＝２，３）の基地局装置は、メイン周波数帯域（第ｉ周波数帯域）ｆｉに対応付けられたサブ周波数帯域（第ｉサブ周波数帯域）ｆ’ｉを用いて、サブ測定チャネルを送信する。例えば、ターゲットセル＃ｉ（ｉ＝２，３）の基地局装置に割り当てられるメイン周波数帯域ｆｉから所定の周波数差だけ離れた周波数帯域を、サブ測定チャネルのサブ周波数帯域ｆ’ｉとする。これにより、受信レベル測定部２３０は、現セルのメイン周波数帯域ｆ１内における各周波数帯域ｆ’ｉの受信レベルに基づいて、メイン周波数帯域ｆｉを有するターゲットセル＃ｉの測定を行うことができる。
【０１００】
以上のように、本実施の形態では、ターゲットセル＃ｉのサブ測定チャネルのサブ周波数帯域（第ｉサブ周波数帯域）ｆ’ｉと、ターゲットセル＃ｉに割り当てられたメイン周波数帯域（第ｉ周波数帯域）ｆｉとが対応付けられている。これにより、端末装置２００が、現セルのメイン周波数帯域ｆ１の一部の所定の周波数帯域ｆ’ｉで送信されるサブ測定チャネルの受信レベルを測定することにより、対応するターゲットセルの測定を行うことができる。
【０１０１】
（実施の形態４）
実施の形態３では、ハンドオーバ先の候補のターゲットセル＃ｉのサブ測定チャネルのサブ周波数帯域（第ｉサブ周波数帯域）ｆ’ｉと、ターゲットセル＃ｉに割り当てられたメイン周波数帯域（第ｉ周波数帯域）ｆｉとが１対１に対応付けられる場合について説明した。
【０１０２】
本実施の形態では、サブ測定チャネルのサブ周波数位置ｆｓをハンドオーバ先の候補である複数のターゲットセルで共有し、各ターゲットセルがサブ周波数位置ｆｓを時分割して用いてサブ測定チャネルを送信する場合について説明する。
【０１０３】
本実施の形態に係る移動通信システム、基地局装置及び端末装置の構成は、実施の形態３と同様のため、以下では、実施の形態３の構成を援用して説明する。
【０１０４】
図１３は、現セルのメイン測定チャネル（第１メイン測定チャネル）と、ターゲットセル＃２のメイン測定チャネル（第２メイン測定チャネル）及びサブ測定チャネルと、ターゲットセル＃３のメイン測定チャネル（第３メイン測定チャネル）及びサブ測定チャネルを示す図である。
【０１０５】
図１３に示すように、現セルの基地局装置１００は、第１メイン測定チャネルをメイン周波数帯域ｆ１を用いて送信する。ターゲットセル＃２の基地局装置１００Ａは、ターゲットセル＃２の第２メイン測定チャネルをメイン周波数帯域ｆ２を用いて送信する。また、ターゲットセル＃３の基地局装置１００Ｂは、ターゲットセル＃３の第３メイン測定チャネルをメイン周波数帯域ｆ３を用いて送信する。
【０１０６】
更に、本実施の形態では、ターゲットセル＃２の基地局装置１００Ａ、及び、ターゲットセル＃３の基地局装置１００Ｂは、サブ周波数帯域ｆｓを時分割して用いて、ターゲットセル＃２，＃３のサブ測定チャネルを送信する。ここで、サブ周波数帯域ｆｓは、現セルのメイン周波数帯域ｆ１の一部の周波数帯域である。時分割のタイミング等の情報（以下「時分割情報」という）については、移動通信制御局より、基地局装置１００Ａ，１００Ｂに通知される。
【０１０７】
端末装置２００は、移動通信制御局又は基地局装置１００Ａ，１００Ｂから通知される時分割情報に応じて、各ターゲットセルからサブ周波数帯域ｆｓを用いて時分割で送信されるサブ測定チャネルの受信レベルを測定する。
【０１０８】
このように、本実施の形態では、複数のサブ測定チャネルが時分割されて送信されるようになるので、現セルのメイン測定チャネル（第１メイン測定チャネル）がサブ測定チャネルにより受ける干渉を制限することができるため、現セルの測定精度の劣化を抑えることができる。
【０１０９】
以上のように、本実施の形態では、複数のターゲットセルの基地局装置１００Ａ，１００Ｂにおいて、送信部１４０は、現セルの基地局装置１００のメイン周波数帯域ｆ１内の一部の周波数帯域ｆｓを時分割して、各サブ測定チャネルを送信する。そして、端末装置２００において、受信部２２０は、ターゲットセルである基地局装置１００Ａ，１００Ｂから時分割で送信されるサブ測定チャネルを受信する。
【０１１０】
これにより、複数のサブ測定チャネルが時分割されて送信されるようになるので、現セルのメイン測定チャネル（第１メイン測定チャネル）がサブ測定チャネルにより受ける干渉を制限することができるため、現セルの測定精度の劣化を抑えることができる。
【０１１１】
（実施の形態５）
実施の形態１から実施の形態４では、サブ測定チャネルが連続モードで送信される場合について説明した。すなわち、ハンドオーバ先の候補のターゲットセルの基地局装置から常にサブ測定チャネルが送信される場合について説明した。本実施の形態では、サブ測定チャネルがギャップモードで送信される、すなわち、サブ測定チャネルが送信されない期間がある場合について説明する。
【０１１２】
なお、サブ測定チャネルが送信されないギャップ期間は、実施の形態２において説明したメイン測定チャネルが送信されないギャップ期間とは、異なる時間帯に設定される。以下、メイン測定チャネルが送信されないギャップ期間と区別するために、サブ測定チャネルが送信されないギャップ期間をサブギャップ期間と呼ぶ。
【０１１３】
本実施の形態に係る移動通信システム、基地局装置及び端末装置の構成は、実施の形態１及び実施の形態２と同様のため、以下では、実施の形態１の構成を援用して説明する。
【０１１４】
図１４は、現セルのメイン測定チャネル（第１メイン測定チャネル）と、ターゲットセルのサブ測定チャネルを示す図である。
【０１１５】
ターゲットセルの基地局装置１００Ａは、現セルのメイン周波数帯域ｆ１内の一部の周波数帯域であるサブ周波数帯域ｆ’２を用いて、サブ測定チャネルをギャップモードで送信する。すなわち、ターゲットセルの基地局装置１００Ａは、サブ測定チャネルを送信しないギャップ区間（サブギャップ期間）を設ける。サブ測定チャネルが送信されないサブギャップ期間は、例えば、所定の周期毎に設定されるようにしてもよい。また、ターゲットセルの基地局装置１００Ａは、サブ測定チャネルの送信要求に応じて、サブギャップ期間を設定するようにしてもよい。
【０１１６】
現セルの基地局装置１００は、サブ測定チャネルが送信されないサブギャップ期間に応じて、メイン測定チャネルを送信する周波数帯域を変更する。具体的には、基地局装置１００は、サブギャップ期間では、メイン周波数帯域ｆ１のうち、サブ測定チャネルが送信される周波数帯域ｆ’２以外の周波数帯域でメイン測定チャネル（第１メイン測定チャネル）を送信する。一方、基地局装置１００は、サブギャップ期間では、メイン周波数帯域ｆ１の全周波数帯域を用いて、メイン測定チャネル（第１メイン測定チャネル）を送信する。
【０１１７】
以上のように、本実施の形態では、ターゲットセルのサブ測定チャネルが送信されないサブギャップ期間を設ける。そして、サブギャップ期間以外では、現セルのメイン測定チャネル（第１メイン測定チャネル）は、メイン周波数帯域ｆ１のうち、サブ測定チャネルの送信に用いられる周波数帯域ｆ’２以外の周波数帯域が用いられて送信される。すなわち、サブ測定チャネルが送信されるサブギャップ期間では、サブ測定チャネルの送信に用いられるサブ周波数帯域ｆ’２では、メイン測定チャネル（第１メイン測定チャネル）は送信されない。そのため、サブ測定チャネルは、メイン測定チャネル（第１メイン測定チャネル）の干渉を受けないため、測定精度を向上させることができる。
【０１１８】
また、サブ測定チャネルが送信される期間では、メイン測定チャネル（第１メイン測定チャネル）は、サブ周波数帯域ｆ’２以外の周波数帯域のみで送信されるためメイン周波数帯域のうち一部の周波数帯域では送信されなくなるものの、時間領域では、メイン測定チャネル（第１メイン測定チャネル）は連続して送信されているためギャップ期間は生じない。そのため、サブ測定チャネルが送信されている期間においても、メイン測定チャネルの測定精度の劣化を抑圧することができる。
【産業上の利用可能性】
【０１１９】
本発明に係る端末装置、基地局装置、移動体通信システム及び異周波数測定方法は、異周波数／異システムにおける端末装置等として有用である。
【符号の説明】
【０１２０】
１００，１００Ａ，１００Ｂ，３００，３００Ａ  基地局装置
１１０，２１０  アンテナ
１２０  自セル測定チャネル生成部
１３０  サブ測定チャネル生成部
１４０，２４０，３２０  送信部
１５０，２２０，４１０  受信部
２００，４００  端末装置
２３０，４２０  受信レベル測定部
３１０  モード決定部
４３０  モード判定部
【図１】
2012004721.tif 000003
【図２】
2012004721.tif 000004
【図３】
2012004721.tif 000005
【図４】
2012004721.tif 000006
【図５】
2012004721.tif 000007
【図６】
2012004721.tif 000008
【図７】
2012004721.tif 000009
【図８】
2012004721.tif 000010
【図９】
2012004721.tif 000011
【図１０】
2012004721.tif 000012
【図１１】
2012004721.tif 000013
【図１２】
2012004721.tif 000014
【図１３】
2012004721.tif 000015
【図１４】
2012004721.tif 000016